(57)【要約】【課題】羽根の走行終了時の衝撃を効果的に緩和するとともに、緩衝部材の破損を防止することができるフォーカルプレンシャッタ等を提供する。【解決手段】フォーカルプレンシャッタ１００は、露光開口１０ａが形成されたシャッタ１０と、露光開口１０ａを開閉する先羽根２０と、先羽根２０と連結され、露光開口１０ａを開放する開放位置と前記露光開口を閉鎖する閉鎖位置との間を移動するように先羽根２０を走行駆動する駆動部材と、先羽根２０の走行終了時の衝撃を緩和する緩衝部材３０と、を備える。緩衝部材３０は、先羽根２０が嵌入可能な溝部を有する。【選択図】図１
2018197809.tif 000002
【特許請求の範囲】
【請求項１】
露光開口が形成された地板と、
前記露光開口を開閉するシャッタ幕と、
前記シャッタ幕と連結され、前記露光開口を開放する開放位置と前記露光開口を閉鎖する閉鎖位置との間を移動するようにシャッタ幕を走行駆動する駆動部材と、
前記シャッタ幕の走行終了時の衝撃を緩和する緩衝部材と、を備え、
前記緩衝部材は、前記シャッタ幕が嵌入可能な溝部を有する、
フォーカルプレンシャッタ。
【請求項２】
前記緩衝部材は、前記開放位置と前記閉鎖位置のうち少なくとも一方において前記シャッタ幕が前記溝部に嵌入するように前記地板に固定される、
請求項１に記載のフォーカルプレンシャッタ。
【請求項３】
前記シャッタ幕は、矩形薄板状の複数の羽根を有し、
前記シャッタ幕の走行終了時に、前記複数の羽根の少なくとも１つの走行方向側の端部が前記溝部に嵌入する、
請求項１または２に記載のフォーカルプレンシャッタ。
【請求項４】
前記緩衝部材は、弾性材料により直方体状に形成され、
前記溝部は、前記緩衝部材の前記羽根の走行方向側の端面と対向する面に、その長手方向に沿って形成されている、
請求項３に記載のフォーカルプレンシャッタ。
【請求項５】
前記溝部は、前記羽根の厚さより幅狭に形成されている、
請求項３または４に記載のフォーカルプレンシャッタ。
【請求項６】
前記溝部の開口の縁部に、面取りが施されている、
請求項１から５のいずれか１項に記載のフォーカルプレンシャッタ。
【請求項７】
請求項１から６のいずれか１項に記載のフォーカルプレンシャッタを備える、撮像装置。
【発明の詳細な説明】
【技術分野】
【０００１】
本発明は、フォーカルプレンシャッタ並びにこれを備える撮像装置に関する。
【背景技術】
【０００２】
フォーカルプレンシャッタにおいて、シャッタ動作（露光動作）の際に高速走行する羽根の走行終了時の衝撃を軽減するために、羽根の走行終了位置に緩衝部材が設けられることがある。例えば、特許文献１は、羽根の走行終了位置において羽根の端面と当接し、その際に弾性変形し得るループ形状の緩衝部材を備える羽根駆動装置（フォーカルプレンシャッタ）を開示している。
【先行技術文献】
【特許文献】
【０００３】
【特許文献１】特開２０１１−１７０２２６号公報
【発明の概要】
【発明が解決しようとする課題】
【０００４】
しかし、高い剛性を有する金属や合成樹脂等からなる薄板状の羽根の端面が緩衝部材に局所的かつ高速で当接すると大きな摩擦熱が発生し、緩衝部材の当接部分が溶解して緩衝性能の低下等を招く虞がある。
【０００５】
本発明は、上記実情に鑑みてなされたものであり、羽根の走行終了時の衝撃を効果的に緩和するとともに、緩衝部材の破損を防止することができるフォーカルプレンシャッタ並びにこれを備える撮像装置を提供することを目的とする。
【課題を解決するための手段】
【０００６】
上記の目的を達成するため、本発明に係るフォーカルプレンシャッタは、
露光開口が形成された地板と、
前記露光開口を開閉するシャッタ幕と、
前記シャッタ幕と連結され、前記露光開口を開放する開放位置と前記露光開口を閉鎖する閉鎖位置との間を移動するようにシャッタ幕を走行駆動する駆動部材と、
前記シャッタ幕の走行終了時の衝撃を緩和する緩衝部材と、を備え、
前記緩衝部材は、前記シャッタ幕が嵌入可能な溝部を有する。
【０００７】
前記緩衝部材は、前記開放位置と前記閉鎖位置のうち少なくとも一方において前記シャッタ幕が前記溝部に嵌入するように前記地板に固定される、
ようにしてもよい。
【０００８】
前記シャッタ幕は、矩形薄板状の複数の羽根を有し、
前記シャッタ幕の走行終了時に、前記複数の羽根の少なくとも１つの走行方向側の端部が前記溝部に嵌入する、
ようにしてもよい。
【０００９】
前記緩衝部材は、弾性材料により直方体状に形成され、
前記溝部は、前記緩衝部材の前記羽根の走行方向側の端面と対向する面に、その長手方向に沿って形成されている、
ようにしてもよい。
【００１０】
前記溝部は、前記羽根の厚さより幅狭に形成されている、
ようにしてもよい。
【００１１】
前記溝部の開口の縁部に、面取りが施されている、
ようにしてもよい。
【００１２】
また、本発明に係る撮像装置は、上記フォーカルプレンシャッタを備える。
【発明の効果】
【００１３】
本発明によれば、羽根の走行終了時の衝撃を効果的に緩和するとともに、緩衝部材の破損を防止することができるフォーカルプレンシャッタ並びにこれを備える撮像装置を提供することができる。
【図面の簡単な説明】
【００１４】
【図１】本実施の形態に係るフォーカルプレンシャッタにおいて、シャッタ動作開始前に先羽根が露光開口を閉鎖した状態を示す図である。
【図２】シャッタ動作中に先羽根が露光開口を開放した状態を示す図である。
【図３】先羽根のシャッタ動作終了時にスリット形成羽根が緩衝部材に嵌入した状態を示す図である。
【図４】緩衝部材の斜視図である。
【図５】スリット形成羽根と緩衝部材の関係を説明するための断面図である。（Ａ）はスリット形成羽根が緩衝部材に嵌入する前の状態、（Ｂ）はスリット形成羽根が緩衝部材の溝部に嵌入し走行停止する前の状態、（Ｃ）はスリット形成羽根が緩衝部材の溝部内で走行停止した状態、を示す図である。
【発明を実施するための形態】
【００１５】
以下、図面を参照しながら、本発明の実施の形態に係るフォーカルプレンシャッタについて説明する。
【００１６】
本実施の形態に係るフォーカルプレンシャッタは、撮像素子を有する撮像装置等に設けられる。撮像装置は、例えば、デジタルカメラを含むカメラ、監視カメラである。撮像素子は、例えば、ＣＣＤ（Charge Couples Device）、ＣＭＯＳ（Complementary Metal Oxide Semiconductor）のイメージセンサである。
【００１７】
まず、図１〜３を参照して、本実施の形態に係るフォーカルプレンシャッタ１００の構成を説明する。なお、以下では、図１〜３の正面側（手前側）が撮像素子側であり、図１〜３の背面側が被写体側（撮影レンズ側）であるものとして説明する。また、図１〜３の上側、下側、左側、右側を、各々、フォーカルプレンシャッタ１００の上側、下側、左側、右側とする。
【００１８】
本実施の形態では、先羽根、後羽根といわれる２つのシャッタ羽根を先羽根用駆動部材と後羽根用駆動部材を駆動してそれぞれ走行させることにより開閉動作させるフォーカルプレンシャッタにおいて、本発明を先羽根に適用する例について説明するものとする。しかし、本発明は、後羽根に対しても適用可能であることはもちろん、１つの羽根を備えるフォーカルプレンシャッタや、先羽根用駆動部材および後羽根用駆動部材が複数の駆動部材により構成されているフォーカルプレンシャッタ等にも適用可能である。
【００１９】
本実施の形態に係るフォーカルプレンシャッタ１００は、図１〜図３に示すように、シャッタ地板１０、先羽根２０、緩衝部材３０を備える。また、フォーカルプレンシャッタ１００は、この他に、図示しない、露光開口１０ａを開放するように先羽根２０を走行駆動してシャッタ動作（露光動作）をさせる先羽根用駆動部材、露光開口１０ａを開閉する後羽根、露光開口１０ａを閉鎖するように後羽根にシャッタ動作をさせる後羽根用駆動部材、先羽根用駆動部材および後羽根用駆動部材をシャッタ動作前のセット位置にセットするセット部材、先羽根駆動部材をセット位置に吸着保持する先羽根用電磁石、後羽根駆動部材をセット位置に吸着保持する後羽根用電磁石を備える。
【００２０】
シャッタ地板１０は、合成樹脂等を用いて略矩形の平板状に作製されており、その略中央部には、横長の長方形の露光開口１０ａが形成されている。また、シャッタ地板１０の正面側には、先羽根２０を収容する羽根室を画定する中間板（不図示）と、後羽根を収容する羽根室を画定する補助地板（不図示）とが、所定の間隔をおいてシャッタ地板１０と略平行にそれぞれ取り付けられている。中間板と補助地板には、それぞれの略中央部に、露光開口１０ａの形状と類似する形状の開口が形成されている。被写体光を通過させるためのシャッタユニットとしての露光開口の形状は、これらの開口と露光開口１０ａを重ね合わせることにより形成される。本実施の形態では、露光開口の形状が露光開口１０ａの形状と略同一であるものとして説明する。
【００２１】
シャッタ地板１０の露光開口１０ａの右側の領域には、円弧状の２つの長孔１０ｂ，１０ｃが形成されている。中間板と補助地板の長孔１０ｂ，１０ｃと重なる領域には、長孔１０ｂ，１０ｃと略同一形状の長孔がそれぞれ形成されている。また、長孔１０ｂと長孔１０ｃの下端部には、ゴム等の弾性材料からなる平面形状が略Ｃ字状の当接部材（不図示）がそれぞれ取り付けられている。この当接部材は、シャッタ動作終了時に駆動部材の駆動ピンを当接させて衝撃を緩和するための部材である。なお、他の実施の形態では、中間板は、開口の右側の領域の一部を省略する形状とし、長孔１０ｂ，１０ｃに対応する長孔が形成されていなくてもよい。また、補助地板においても、長孔１０ｂ，１０ｃに対応する長孔が形成されない場合もある。
【００２２】
シャッタ地板１０の背面、すなわち被写体側の面には、支軸１１ａ，１１ｂが立設されている。また、シャッタ地板１０の正面、すなわち撮像素子側の面には、支軸１１ｃ，１１ｄ，１１ｅが立設されている。これらの支軸のうち、支軸１１ｃは支軸１１ａと、支軸１１ｄは支軸１１ｂと、それぞれ、同心上に立設されている。
【００２３】
なお、シャッタ地板１０の被写体側の面には、実際には、このほかにも、駆動部材をシャッタ動作（露光動作）前のセット位置にセットするセット部材を回転可能に取り付けるための支軸や、駆動部材をセット位置において磁気的に吸着保持する電磁石等が設置された支持板をシャッタ地板１０と並行に取り付けるための複数の柱が立設されている。
【００２４】
先羽根２０は、シャッタ地板１０と中間板との間の羽根室内を走行（移動）するメカニカル方式のシャッタ幕である。先羽根２０は、一端が支軸１１ｃ周りに回転可能に取り付けられた先羽根アーム２５と、一端が支軸１１ｅ周りに回転可能に取り付けられた先羽根アーム２６と、これらの自由端である他端に向けて順に枢支された、高剛性を有する合成樹脂からなる４枚の羽根２４，２３，２２、２１から構成される。ここで、最も自由端側に枢支された羽根２１が、露光スリットを形成するスリット形成羽根である。また、先羽根用駆動部材の駆動ピンは、シャッタ地板１０の長孔１０ｂに挿入され、その先端部が先羽根アーム２５に形成された長孔２５ａに嵌合されている。
【００２５】
セット動作の際、セット部材によって先羽根用駆動ばねの付勢力に抗して先羽根用駆動部材が時計回りに回転することに伴って、先羽根アーム２５が時計回りに回転させられることにより、図１に示すように、４枚の羽根２１〜２４が相互の重なりを小さくしながら展開して露光開口１０ａを閉鎖する。
【００２６】
また、シャッタ動作の際、先羽根用駆動部材を反時計回りに回転させるように付勢する先羽根用駆動ばねの付勢力によって先羽根用駆動部材が反時計回りに回転することに伴って、先羽根アーム２５が反時計回りに回転させられることにより、図２に示すように、４枚の羽根２１〜２４が相互の重なりを大きくしながら重畳して露光開口１０ａを開放する。
【００２７】
このように、先羽根用駆動部材が所定方向に回転することにより、羽根２１〜２４は、露光開口１０ａを開放する開放位置と、露光開口１０ａを閉鎖する閉鎖位置との間を走行し、露光開口１０ａを開閉する。
【００２８】
緩衝部材３０は、羽根２１〜２４の走行終了時の衝撃を緩和するための部材である。緩衝部材３０は、例えば、ゴム等の弾性材料により直方体状に形成され、図１〜３に示すように、先羽根２０のシャッタ動作時の走行終了位置において作用するように、シャッタ地板１０の正面側の面の下辺部に固定される。緩衝部材３０が羽根２１の走行完了時の衝撃を緩和することにより、羽根２１と先羽根アーム２５，２６を介して連結された羽根２２〜２４の走行完了時の衝撃を緩和することができる。
【００２９】
また、図４に示すように、緩衝部材３０の上面には、その長手方向に沿って溝部３０ａが形成されている。なお、図４の上側、下側、左側、右側、右下側、左上側を、各々、緩衝部材３０の上側、下側、左側、右側、前側、後側とする。
【００３０】
溝部３０ａは、側面間の幅が羽根２１の厚さよりも幅狭に形成されている。先羽根２０の走行終了時に、羽根２１の走行方向側の端部が溝部３０ａに嵌入して挟持される。また、溝部３０ａの開口が広くなるように、開口縁には面取り部３０ａａが設けられている。これにより、羽根２１の走行軌道が前後方向に多少ずれた場合であっても、羽根２１の走行方向側の端部が溝部３０ａ内に円滑に嵌入することができる。なお、図４において、緩衝部材３０の上面の長手方向の中心よりも前方側に偏った位置に溝部３０ａが形成されているが、これに限られず、羽根２１の走行軌道に合わせて、例えば、上面の長手方向の中心またはこれより後方側に溝部３０ａが形成されてもよい。
【００３１】
次に、緩衝部材３０による緩衝作用について、図５（Ａ）〜（Ｃ）を参照しながら、先羽根２０のシャッタ動作を例に説明する。なお、図５（Ａ）〜（Ｃ）の上側、下側、左側、右側を、各々、羽根２１および緩衝部材３０の上側、下側、前側、後側とする。
【００３２】
先羽根２０のシャッタ動作の際、先羽根用駆動部材が反時計回りに回転し、先羽根用駆動部材の駆動ピンが長孔１０ｂの上端部から下端部に向かって走行する。これに伴い、先羽根用駆動部材と先羽根アーム２５，２６を介して連結された先羽根２１〜２４は、隣接する羽根同士の重なり量を大きくして重畳しながら下方向に移動して露光開口１０ａを開放する。これに伴って、図５（Ａ）に示すように、先羽根アーム２５，２６の最も自由端側に枢支された羽根２１が走行終了位置近傍に配置された緩衝部材３０に接近する。
【００３３】
先羽根用駆動部材の駆動ピンが長孔１０ｂの下端部に到達して当接部材に当接すると、先羽根用駆動部材の反時計回りの回転が停止する。また、羽根２１の下端部は、図５（Ｂ）に示すように、緩衝部材３０の羽根２１の走行方向側の端面である下端面と対向する上面に形成された溝部３０ａに嵌入する。溝部３０ａの側面間の幅は羽根２１の厚さよりも幅狭になっているため、羽根２１の下端部は溝部３０ａを押し広げながら溝部３０ａ内に進入する。この際、羽根２１の下端部の前面および後面が溝部３０ａの側面に摺接することにより摩擦が生じる。羽根２１は、運動エネルギーがこの摩擦により発生する熱エネルギー等に変換されて減速しながら溝部３０ａ内に食い込んでいく。
【００３４】
羽根２１の運動エネルギーが全て失われると、図５（Ｃ）に示すように、緩衝部材３０の弾性により、羽根２１の下端部の前後面は溝部３０ａの側面に挟持され、羽根２１および先羽根アーム２５，２６を介して羽根２１と連結された羽根２２〜２４の走行が停止する。なお、セット動作の際には、セット部材によって先羽根用駆動ばねの付勢力に抗して先羽根用駆動部材が時計回りに回転させられることに伴って、先羽根アーム２５を介して先羽根用駆動部材と連結された羽根２１は溝部３０ａから離脱する。
【００３５】
このように、本実施の形態において、羽根２１の下端部に緩衝部材３０の上面が当接するのではなく、羽根２１の下端部が緩衝部材３０の上面に形成された溝部３０ａに嵌入し、溝部３０ａの両側面が羽根２１の下端部の前面および後面を挟持することにより、羽根２１〜２４の走行を安定的に停止させるとともに走行終了時の揺れを抑制する。
【００３６】
なお、走行終了時の衝撃をより効果的に緩和するため、図５（Ｃ）に示すように、羽根２１の下端面が溝部３０ａの底面に当接する手前で嵌入が停止するように、溝部３０ａの側壁間の幅および深さや緩衝部材３０の弾性力を調整することが望ましい。
【００３７】
次に、図１〜図３を参照して、フォーカルプレンシャッタ１００の動作について説明する。
【００３８】
（初期状態）
図１は、セット部材によるセット動作が完了した後の初期状態を示す。先羽根用駆動部材は、シャッタ動作前のセット位置においてセット部材により係止される。したがって、先羽根２０は、図１に示すように、露光開口１０ａが閉鎖状態となるように開いた状態で露光開口１０ａを覆っている。後羽根用駆動部材は、シャッタ動作前のセット位置においてセット部材により係止される。したがって、後羽根は、露光開口１０ａが開放状態となるように畳まれた状態で露光開口１０ａの上方に位置する。セット部材は、先羽根用駆動部材を先羽根用駆動ばねの付勢力に抗して係止するとともに、後羽根用駆動部材を後羽根用駆動ばねの付勢力に抗して係止する。
【００３９】
（撮影開始）
初期状態においてフォーカルプレンシャッタ１００を備える撮像装置のレリーズボタンが押下されると、先羽根用電磁石および後羽根用電磁石に通電され、先羽根用駆動部材および後羽根用駆動部材は、先羽根用電磁石および後羽根用電磁石によって吸着保持される。
【００４０】
（セット部材退避）
先羽根用駆動部材および後羽根用駆動部材が先羽根用電磁石および後羽根用電磁石によって吸着保持された状態において、セット部材は、付勢ばねの付勢力によって所定方向に回転し、セット位置から退避位置に戻る。これにより、先羽根用駆動部材および後羽根用駆動部材の係止が解除されるものの、先羽根用電磁石および後羽根用電磁石によって吸着保持された状態が維持されているため、反時計回りの回転が抑止される。
【００４１】
（先羽根シャッタ動作）
次に、先羽根用電磁石の通電が停止されることにより、先羽根用駆動部材の反時計回りの回転の抑止が解除され、先羽根用駆動部材は、図２に示すように、支軸１１ａを中心に反時計回りに回転する。これにより、先羽根２０の羽根２１〜２４は、隣接する羽根同士の重なり量を大きくして重畳しながら下方向に移動して露光開口１０ａを開放する。先羽根用駆動部材の反時計回りの回転は、羽根用駆動部材の駆動ピンが長孔１０ｂの下端部に設けられた当接部材に当接することにより停止する。このとき、羽根２１の下端部が緩衝部材３０の溝部３０ａに嵌入し、羽根２１〜２４の走行が停止する。
【００４２】
（後羽根シャッタ動作）
続いて、先羽根用電磁石の通電の停止から所定時間経過後、後羽根用電磁石の通電が停止されることによって、後羽根用駆動部材の回転の抑止が解除される。これにより、後羽根用駆動ばねによって反時計回りに付勢されている後羽根用駆動部材は、反時計回りに回転し、後羽根用駆動部材の駆動ピンが長孔１０ｃの上端部から下端部に向かって走行する。後羽根用駆動部材の駆動ピンの走行により、後羽根は、露光開口１０ａを覆うように下方に移動しながら広がり、露光開口１０ａを閉鎖する。これにより、先羽根２０および後羽根による一連のシャッタ動作が終了する。
【００４３】
（セット動作）
次に、セット部材は、次の撮影に備え、先羽根用駆動部材と後羽根用駆動部材のそれぞれに駆動力を与えて係止するセット動作を行う。セット部材は、図示しない駆動機構の駆動力によって、付勢ばねの付勢力に抗して所定方向に回転する。セット部材の回転に伴い、先羽根用駆動部材は、先羽根用駆動ばねの付勢力に抗して時計回りに回転する。また、後羽根用駆動部材は、後羽根用駆動ばねの付勢力に抗して時計回りに回転する。後羽根駆動部材の回転により、後羽根は、露光開口１０ａを開くように上方向に移動しながら畳まれ、露光開口１０ａを開放する。また、先羽根駆動部材の回転により、先羽根２０の羽根２１〜２４は、隣接する羽根同士の重なり量を小さくして展開しながら上方向に移動して露光開口１０ａを閉鎖する。緩衝部材３０の溝部３０ａ内で挟持されていた羽根２１は、先羽根駆動部材の時計回りの回転に伴い、溝部３０ａから離脱する。
【００４４】
セット部材は、駆動機構により所定角度回転したところでその回転を停止させられてセット位置に保持される。このように、先羽根用駆動部材および後羽根用駆動部材はシャッタ動作前のセット位置にセットされ、先羽根２０および後羽根にシャッタ動作をさせるための駆動力がチャージされる。このように、フォーカルプレンシャッタ１００は、図１に示す初期状態に戻る。
【００４５】
以上に説明したように、フォーカルプレンシャッタ１００において、先羽根２０のスリット形成羽根である羽根２１の走行方向側の端部が嵌入可能な溝部３０ａが形成された緩衝部材３０は走行終了位置近傍に配置される。これにより、羽根２１〜２４の走行を安定的に停止させるとともに走行終了時の揺れを抑制することができ、先羽根２０の走行終了時の衝撃を効果的に緩和することができる。また、従来のように薄板状の羽根の端面が緩衝部材に直線状に当接する場合と比較して、羽根２１と緩衝部材３０との接触面積を大きくすることにより、羽根２１の運動エネルギーを効率よく吸収することができ、摩擦による熱エネルギーの局所的な発生を抑制することができる。すなわち、本実施の形態に係るフォーカルプレンシャッタ１００は、先羽根２０の走行終了時の衝撃を効果的に緩和するとともに、緩衝部材３０の破損を防止することができる。
【００４６】
また、緩衝部材３０に形成された溝部３０ａの開口が広くなるように、開口縁には面取り部３０ａａが設けられている。これにより、羽根２１の走行軌道が前後方向に多少ずれた場合であっても、羽根２１の下端部が溝部３０ａ内に円滑に嵌入することができる。
【００４７】
上記の実施の形態では、先羽根２０に対して本発明を適用する例について説明したが、これに限られず、後羽根に対しても適用可能である。例えば、後羽根を収容する中間板と補助地板との間の羽根室内に、緩衝部材３０と同様の後羽根用の緩衝部材を配置することにより、後羽根の走行終了時における衝撃を緩和するとともに、後羽根用の緩衝部材の破損を防止することができる。
【００４８】
なお、本発明は、上記の実施の形態に限定されず、種々の変形及び応用が可能である。前記の実施の形態は、次のように変形されてもよい。
【００４９】
上記の実施の形態では、緩衝部材３０にスリット形成羽根である羽根２１の端部が嵌合可能な溝部を設けて羽根２１の走行を停止させることにより、先羽根アーム２５，２６を介して羽根２１と連結された羽根２２〜２４も含めて全体的に走行終了時の衝撃を緩和するように構成した。しかし、緩衝部材３０に溝部３０ａに加えて羽根２１以外の羽根２２〜２４の全部または一部の端部がそれぞれ嵌合可能な溝部を設けることにより、直接的に各羽根の走行を停止させてもよい。この場合、走行終了時の各羽根の端部の到達位置に合わせて、溝部の深さを調整してもよいし、溝部が形成される面に傾斜をつける等してもよい。これにより、先羽根２０の走行終了時の衝撃をさらに効果的に緩和することができる。
【００５０】
上記の実施の形態では、緩衝部材３０の溝部３０ａの側面間の幅は、図５（Ａ）に示すように、面取り部３０ａａをのぞいて均等に形成されているが、例えば、溝部３０の側面間の幅が緩衝部材３０の上面から下面に向かって狭くなるテーパ状に形成されてもよい。また、溝部３０ａの一部または全体が緩衝部材３０を貫通していてもよい。例えば、溝部３０ａの全体を緩衝部材３０の上面から下面にかけて貫通させた場合、緩衝部材３０は前後で２つに分かれた形状となり、羽根２１の端部は２つの緩衝部材３０の対向する側面間に嵌入する。
【００５１】
以上の実施の形態および変形例は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また特許請求の範囲に記載した発明と均等な発明も本発明に含まれる。
【符号の説明】
【００５２】
１０  シャッタ地板
１０ａ  露光開口
１０ｂ，１０ｃ  長孔
１１ａ，１１ｂ，１１ｃ，１１ｄ，１１ｅ  支軸
２０  先羽根
２１，２２，２３，２４  羽根
２５，２６  先羽根アーム
２５ａ  長孔
３０  緩衝部材
３０ａ  溝部
３０ａａ  面取り部
１００  フォーカルプレンシャッタ
【図１】
2018197809.tif 000003
【図２】
2018197809.tif 000004
【図３】
2018197809.tif 000005
【図４】
2018197809.tif 000006
【図５】
2018197809.tif 000007